(57)【要約】【課題】本発明の主たる目的は、切断機内にログを一時的に保持する装置の欠点を克服することである。【解決手段】切断機内にログ（２）を一時的に保持する装置であって、複数のプレッサー（６１）とガイド（７）内で摺動する付加部材を各々有する二つのプレート（６０）を備え、上記プレート（６０）がこれらを駆動するアクチュエータ（８）に関連しており、適切なガイド（７）の方向に、かつ、互いに鏡像的に平行関係に配置されて実質上直線移動する制御下で、すなわち、処理されるべきログ（２）と直角方向に移動することを特徴とする切断機内にログを一時的に保持する装置。
2006524140.tif 000002
【特許請求の範囲】
【請求項１】
切断機内にログ（２）を一時的に保持する装置であって、複数のプレッサー（６１）とガイド（７）内で摺動する付加部材を各々有する二つのプレート（６０）を備え、前記プレート（６０）がこれらを駆動するアクチュエータ（８）に関連しており、適切なガイド（７）の方向に、かつ、互いに鏡像的に平行関係に配置されて実質上直線移動する制御下で、すなわち、処理されるべきログ（２）と直角方向に移動することを特徴とする切断機内にログを一時的に保持する装置。
【請求項２】
前記ガイド（７）が各々垂直面に対してプリセット角度に傾斜されていることを特徴とする請求項１に記載の装置。
【請求項３】
前記ガイドが垂直面に対して６０〜６５°の角度に傾斜されていることを特徴とする請求項１および２に記載の装置。
【請求項４】
前記プレート（６０）の付加部材（６００）が小さいローラ（６３）を備えており、その適切なガイド（７）への摺動を助けることを特徴とする請求項１に記載の装置。
【請求項５】
前記アクチュエータ（８）が、クランク連結ロッド式の伝動装置（８０，８１）を介して二つのプレート（６０ａ，６０ｂ）に連結された電動機であることを特徴とする請求項１に記載の装置。
【請求項６】
ログ（２）を移動させるための装置の下流に配置され、かつその内側に切断されるべきログ（２）が配備される一つまたはそれ以上のチャネル（１０）を伴うプラットフォーム（１）と、前記プラットフォーム（１）と対応して作動しログ（２）の背後に作用してこれらを各ガイドチャネル（１０）に沿って、下流に配備された切断手段（４）に向けて押しやるプッシャー手段（３）とを備え、前記ログ（２）移動手段が、前記プッシャー（３）と前記切断手段（４）間の中間に配備されかつプッシャー（３）によってプラットフォーム（１）のチャネル（１０）に沿って押されるログ（２）と係合させるとともに前記切断手段（４）までチャネルに沿ってログを駆動させることを意図したクランプ手段（５）をさらに備えていることを特徴とする請求項１〜５のいずれか１項に記載の装置。
【請求項７】
前記プッシャー手段（３）がプラットフォーム（１）のチャネル（１０）を横断して配備され、対応する電動機に関連するとともにプラットフォーム（１）の二つの長縁上を摺動するように取り付けられたキャリッジ（３１）によって前記クランプ手段（５）に向かって、またこれから離れるように移動されるバー（３０）を備えていることを特徴とする請求項６に記載の装置。
【請求項８】
前記クランプ手段（５）が、互いに対向して配置された電動機駆動閉ループ・ベルト（５０）を備え、プラットフォーム（１）上を平面に対してログ（２）が摺動して到来し、これによって各ベルトがこのような平面に平行な長さ（５１）を呈し、前記ベルト（５０）の互いに対面する長さ（５１）がログ（２）の外径と実質上等しい延長部で隔置されていることを特徴とする請求項６に記載の装置。
【発明の詳細な説明】
【技術分野】
【０００１】
本発明は切断機内にログを一時的に保持する装置に関する。
【背景技術】
【０００２】
次の明細書において、用語「ログ」は支持コア（例えば、環状厚紙コア）の周りに巻き取られ、短い長さの、すなわち、商業寸法のロールを形成するように切断されるべき巻取材料のロールを指示することを意味する。
【０００３】
現在、ペーパー・ロールの生産は、一つまたはそれ以上の切断機を使用することにより巻戻機によって製造されたログを横切って切断することを含むことが知られている。ログ用の切断機は、特許文献１に詳細に記載されている。
【０００４】
本質的にこのタイプの切断機は、
−複数のチャネルまたはガイドにおいて、ここにログが放出され、これに対応する可動装置、いわゆる専門語で「ポータ」がログを後方から押しやることによって長手方向運動で駆動するように取り付けられている複数のチャネルまたはガイドと；
−ログの回転軸と平行な軸の周りを回転し、対応する可動支持部材上に固定された一つまたはそれ以上の円形ブレードを備えた切断ステーションと；
−ログを上記切断ステーションに一時的に保持する手段と；
を備えている。
【０００５】
通常動作中、切断されるべきログは適切なポータによってそれぞれのガイド上のプリセット位置に配置され、その位置にブロックされる。次に、ブレードの一つが作動される。すなわち、ログの軸と直交する平面に駆動され、これによってログからプリセット・サイズのより短いロールが形成される。ロールの長さは、実際にはブレードによって操作された二つの連続する切断部材間で経過する時間中のポータの進行に依存する。
【０００６】
特に、現在ログを切断ステーションに一時的に保持する手段であって、一般的に「プレッサー」と呼ばれている手段は、対応する駆動部材に関連する複数のベルトを備えており、上記プレッサーの形態は切断ステップ中ログを保持し、これを移動させなければならないときはこれらを開放するために修正することができる。
【０００７】
しかし、従来のプレッサーは長期使用、特に操作の柔軟性に関する限りでは、信頼性の点とサービス需要の点の両者において現在の製造必要条件では不十分な結果になっている。
【特許文献１】イタリア特許第１２４７３３０号
【発明の開示】
【発明が解決しようとする課題】
【０００８】
本発明の主たる目的は、上記欠点を克服することである。
【課題を解決するための手段】
【０００９】
この結果は本発明に基づいて請求項１に開示した特徴を有する構造をなすアイデアを適用することによって達成される。さらなる特徴は従属請求項に開示される。
【００１０】
本発明は切断ステップ中、ログの有効かつ安全な保持を操作することを可能にし、保持手段の操作を指令するアクチュエータによって与えられた命令に応答して高い迅速性を保証することを可能にする。さらに、プレッサーの特定操作のために、装置は関連するログの直径に、このような直径の範囲であれば装置の部品または要素を交換する必要なしにいずれも自動的に一致させることができ、従って装置の最大多様性が保証される。付加的に、非常に小さい保守を要する本発明に基づく装置は製造が比較的簡単、費用的に有利であり、長くなった実用寿命後においても信頼性がある。
【００１１】
本発明の上記したおよび他の利点と特徴は、限定感覚で考察するのもではないが、本発明の特定する実施例として示された添付図面に関する次なる説明を読むことによって当業者によく理解できるであろう。
【発明を実施するための最良の形態】
【００１２】
切断ステーションに向かってログを移動させる装置に適用した本発明を添付図面の図を参照して次に説明する。この装置は、
−その内部に切断されるべきログが配備された一つまたはそれ以上の長尺チャネル（１０）を備えたプラットフォーム（１）と；
−上記プラットフォーム（１）に対応して作動するとともにログ（２）の背後に作用して、下流に配備された切断手段（４）に向かってそれぞれのガイド・チャネル（１０）に沿ってログを押しやるプッシャー手段（３）と；
−上記プッシャー手段（３）と上記切断手段（４）間の中間に配備され、プッシャー（３）によってプラットフォーム（１）のチャネル（１０）に沿って押しやられるログ（２）と係合するとともに上記切断手段（４）までこれらを駆動することを意図したクランプ手段（５）と；
を備えている。
【００１３】
上記プッシャー手段（３）は、プラットフォーム（１）のチャネル（１０）を横断して配備され、対応する電動機（３２）に関連するとともに（図１４のブロック図中だけに見られる）プラットフォーム（１）の二つの長縁上を摺動するように取り付けられたキャリッジ（３１）によって上記クランプ手段（５）に向かって、またこれから離れるように移動されるバー（３０）を備えている。
【００１４】
さらに、上記クランプ手段（５）が、互いに対向して配置された二つの電動機駆動閉ループ・ベルト（５０）を備え、プラットフォーム（１）上をログ（２）が平面に対して摺動して到来し、これによって各ベルトがこのような平面に平行な長さ（５１）を常に呈し、上記ベルト（５０）の互いに対面する長さ（５１）がログ（２）の外径と実質上等しい延長部で隔置されている。
【００１５】
添付図面を参照して、上記切断手段（４）が適切なアクチュエータ（４００）（図１４のブロック図参照）に関連する支持アーム（４１）上に取り付けられ、これを切断されるべきログ（２）から移動させ、またこれに向けて移動させるブレード（４０）を備えている。
【００１６】
上述の装置の動作は次の通りである。ログ（２）が自動積込装置（当業者に公知であり、従ってここでは詳細な説明は省略する）によってプラットフォーム（１）のチャネル（１０）に配備され、プッシャー手段（３）がベルト（５０）の平行長さ（５１）間までベルト（５０）に向かってこれらを押しやる（図１および２）。従って、この点において、このように配置された各ログ（２）はそれぞれの駆動ローラ上を回転することによって同じベルト（５０）間に保持されることになり、図３に示したようにログを切断手段（４）に向けるとともに同じログをその直径方向に対向する表面部分上に係合する。ベルト（５０）、従ってログ（２）の動きは間欠的、かつ、切断手段（４）と同期している。すなわち、各ドゥエルにおいて、切断手段（４）が作動されると、ログ（２）が切断され、一方ベルト（５０）の移動中切断手段（４）が不作動となり、ログ（２）から離れる。ベルト（５０）の速度および作動時間は、ログ（２）の切断部から得られるペーパー・ロール（２０）の長さに関連して事前決定される。一度ログ（２）がベルト（５０）間に保持されると、キャリッジ（３１）が適切な初期位置に巻き取るために戻る。これによってさらなるログ（２）がプラットフォーム（１）のチャネル内に配備されたときに、図４に示したようにベルト（５０）に前回引き渡されたログ（２）の尾部と接触してその適切な頭部に配備されるまで、これらのログが同じプッシャー手段に抗して駆動される。このプロセスは、図５〜９にも示すように周期的に反復される。ログ（２）の切断手段への供給は、連続的、すなわち、連続するログ間にとぎれまたは空間なしに実行される。これはシステムの実際の製造に関して明白な利点である。ペーパー・ロール（２０）が製造されるにつれて、処理された同じログ（２）によって切断手段（４）の下流に配置され、これらを移動させるためにコンベヤベルト（３５）上に押しやられる。コンベヤベルト（３５）と切断手段（４）間に静止水平平面（３５０）を配備することもできる。
【００１７】
切断手段（４）に関して、切断ステップ中、すなわち、切断手段が作動しているときにログ（２）を一時的に保持することを意図した手段（６）を提供することが可能である。
【００１８】
添付図面の図に示された代表的な実施例に基づく上記保持手段（６）は、二つのプレート（６０ａ，６０ｂ）を備えており、各々一方側に複数の強固なほぼ半円形状のフック（以後、「プレッサー」と呼ぶ）を呈し、対向側に付加部材（６００）が水平面に対して所定角度で傾斜したガイド（７）内に摺動的に固定されている。上記プレート（６０ａ，６０ｂ）は制御下にあるアクチュエータに関連して、それぞれのガイド（７）の方向に実質的に直線運動でこれらを駆動する。また、同じプレートが鏡像的に、かつ、処理されるべきログ（２）に対して平行関係に、すなわち、直交して配置される。
【００１９】
上記プレート（６０ａ，６０ｂ）の付加部材（６００）が小形ローラ（６３）を備えており、それぞれのガイド（７）内でのその摺動を助けている。
【００２０】
好ましくは、上記ガイド（７）は水平面に対して６０〜６５°の角度で傾斜しており、適切であると思われる方法で各プレッサー（６１）の偏位の垂直および水平要素を組み合わせるために、また装置を処理下にあるログの直径に関わらず可能な限り最高に作動させ、これによって非常に多面的になる。
【００２１】
例えば、上記アクチュエータ（８）は二つのプレート（６０ａ，６０ｂ）を通ってピボット（８３）を作動するクランク連結ロッド式の伝動装置（８０，８１）を介して二つのプレート（６０ａ，６０ｂ）に連結された電動機である。すなわち、上記プレート（６０ａ，６０ｂ）は対応するレバー（１０８）を介して固定本体（１００）と係合され、各々その一方側が二つの固定本体（１００）の一つにヒンジされ、またその他方側が上記ピボット（８３）の上方で二つのプレート（６０ａ，６０ｂ）の一つにヒンジされている。レバー（１０８）をプレート（６０ａ，６０ｂ）に連結しているヒンジの軸はピボット（８３）と平行である。
【００２２】
切断手段（４）が非作動であり、かつ、ログ（２）から離れているとき、プレート（６０ａ，６０ｂ）は持ち上げられるので（図１２に実線で示すように）、ログ（２）は（上記ベルト５０によってそれに誘起された牽引力のために）前方向への平行移動が自由になる。ログ（２）の切断ステップの開始直前、すなわち、この結果が切断位置になったときに、プレート（６０ａ，６０ｂ）がフック（６１）の手段によって半円形状かつ鏡像的状態でログの表面を圧縮することで降下される（図１０と図１１および図１２の一点鎖線を参照）。ログを横方向と頂部において抱き込み、これによってこれらをプリセット位置に保持する。底部において、ログ（２）はその一部がそれぞれのベルト（５０）およびその一部が平面（３５０）上に載置される。プレート（６０ａ，６０ｂ）の昇降は上述したレバーのアレイを介してアクチュエータ（８）によってもたらされる。
【００２３】
プッシャー手段（３）、クランプ手段（５）、切断手段（４）およびアクチュエータ（８）の制御、さらに後者によって作動されるプレート（６０ａ，６０ｂ）の平行移動は全て対応するプログラム可能電子手段を介して自動化されており、光学的フォトセル作動制御手段（９０）も接続されている。後者は公知の、かつ、プリセット位置にログ（２）の作動経路に沿って配備されている。この種の電子手段は工業的自動制御分野における当業者にとって公知であり、従って詳細な説明は省略する。
【００２４】
ログ（２）を移動させるシステムは、いずれか適切なタイプのものでよいことが理解できる。
【００２５】
実際において、構造上の詳細部は、採用された解決策の範囲から逸脱することなく、したがって、本特許に与えられた保護の範囲内にある限り、その形状、寸法、要素配置、使用材料の特性に到るまで同等の方法で変えてもよい。
【図面の簡単な説明】
【００２６】
【図１】稼動周期の開始時段階を示す切断ステーションにログを供給する装置の概略側面図である。
【図２】クランプ手段によって係合され、切断操作にかけられた図１の装置を示す図である。
【図３】ログを摺動させるためにプラットフォームのそれぞれのチャネルに積み込まれた別のログの状態を示す図である。
【図４】二つのログを順次並べた図１の装置を示す図である。
【図５】第２ログの頭部がクランプ手段間に配置された状態にある図４の装置を示す図である。
【図６】図５の装置の平面図である。
【図７】図６に示した一方に続く二つの操作段階にある同じ装置を示す図である。
【図８】図６に示した一方に続く二つの操作段階にある同じ装置を示す他の図である。
【図９】プラットフォーム上に積み込まれた別のログによるさらなる段階にある同じ装置を同様に示す図である。
【図１０】それぞれの切断ステーションに位置し、異なる直径のログを一時的に保持するための手段によって保持された形態を示す概略正面図である。
【図１１】それぞれの切断ステーションに位置し、異なる直径のログを一時的に保持するための手段によって保持された形態を示す他の概略正面図である。
【図１２】図１０および１１に示した保持手段の概略分解側面図である。
【図１３】図１０および１１に示した保持手段の概略側面図である。
【図１４】自動装置および制御手段の簡略ブロック図である。
【符号の説明】
【００２７】
１  プラットフォーム
２  ログ
３  プッシャー手段
４  切断手段
５  クランプ手段
７  ガイド
８  アクチュエータ
１０  ガイド・チャネル
２０  パーパー・ロール
３０  バー
３１  キャリッジ
５０  閉ループ・ベルト
６０ａ，６０ｂ  プレート
６１  プレッサー
８０，８１  伝送装置
８３  ピボット
９０  フォトセル作動制御手段
１００  固定本体
１０８  レバー
【図１】
2006524140.tif 000003
【図２】
2006524140.tif 000004
【図３】
2006524140.tif 000005
【図４】
2006524140.tif 000006
【図５】
2006524140.tif 000007
【図６】
2006524140.tif 000008
【図７】
2006524140.tif 000009
【図８】
2006524140.tif 000010
【図９】
2006524140.tif 000011
【図１０】
2006524140.tif 000012
【図１１】
2006524140.tif 000013
【図１２】
2006524140.tif 000014
【図１３】
2006524140.tif 000015
【図１４】
2006524140.tif 000016
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
切断機内にログ（２）を一時的に保持する装置であって、複数のプレッサー（６１）とガイド（７）内で摺動する付加部材を各々有する二つのプレート（６０）を備え、前記プレート（６０）がこれらを駆動するアクチュエータ（８）に関連しており、適切なガイド（７）の方向に、かつ、互いに鏡像的に平行関係に配置されて実質上直線移動する制御下で、すなわち、処理されるべきログ（２）と直角方向に移動することを特徴とする切断機内にログを一時的に保持する装置。
【請求項２】
前記ガイド（７）が各々垂直面に対してプリセット角度に傾斜されていることを特徴とする請求項１に記載の装置。
【請求項３】
前記ガイドが垂直面に対して６０〜６５°の角度に傾斜されていることを特徴とする請求項１および２に記載の装置。
【請求項４】
前記プレート（６０）の付加部材（６００）が小さいローラ（６３）を備えており、その適切なガイド（７）への摺動を助けることを特徴とする請求項１に記載の装置。
【請求項５】
前記アクチュエータ（８）が、クランク連結ロッド式の伝動装置（８０，８１）を介して二つのプレート（６０ａ，６０ｂ）に連結された電動機であることを特徴とする請求項１に記載の装置。
【請求項６】
前記保持装置がログ（２）を移動させるための装置の下流に配置され、かつ該保持手段が、その内側に切断されるべきログ（２）が配備される一つまたはそれ以上のチャネル（１０）を伴うプラットフォーム（１）と、前記プラットフォーム（１）と対応して作動しログ（２）の背後に作用してこれらを各ガイドチャネル（１０）に沿って、下流に配備された切断手段（４）に向けて押しやるプッシャー手段（３）とを備え、前記ログ（２）移動手段が、前記プッシャー（３）と前記切断手段（４）間の中間に配備されかつプッシャー（３）によってプラットフォーム（１）のチャネル（１０）に沿って押されるログ（２）と係合させるとともに前記切断手段（４）までチャネルに沿ってログを駆動させることを意図したクランプ手段（５）をさらに備えていることを特徴とする請求項１に記載の保持装置を有するログ切断装置。
【請求項７】
前記プッシャー手段（３）がプラットフォーム（１）のチャネル（１０）を横断して配備され、対応する電動機に関連するとともにプラットフォーム（１）の二つの長縁上を摺動するように取り付けられたキャリッジ（３１）によって前記クランプ手段（５）に向かって、またこれから離れるように移動されるバー（３０）を備えていることを特徴とする請求項６に記載の装置。
【請求項８】
前記クランプ手段（５）が、互いに対向して配置された電動機駆動閉ループ・ベルト（５０）を備え、プラットフォーム（１）上を平面に対してログ（２）が摺動して到来し、これによって各ベルトがこのような平面に平行な長さ（５１）を呈し、前記ベルト（５０）の互いに対面する長さ（５１）がログ（２）の外径と実質上等しい延長部で隔置されていることを特徴とする請求項６に記載の装置。
【手続補正２】
【補正対象書類名】明細書
【補正対象項目名】全文
【補正方法】変更
【補正の内容】
【書類名】明細書
【技術分野】
【０００１】
本発明は切断機内にログを一時的に保持する装置に関する。
【背景技術】
【０００２】
次の明細書において、用語「ログ」は支持コア（例えば、環状厚紙コア）の周りに巻き取られ、短い長さの、すなわち、商業寸法のロールを形成するように切断されるべき巻取材料のロールを指示することを意味する。
【０００３】
特許文献１は、切断中に長尺円形製品を支持するための装置を開示している。
現在、ペーパー・ロールの生産は、一つまたはそれ以上の切断機を使用することにより巻戻機によって製造されたログを横切って切断することを含むことが知られている。ログ用の切断機は、特許文献２に詳細に記載されている。
【０００４】
本質的にこのタイプの切断機は、
−複数のチャネルまたはガイドにおいて、ここにログが放出され、これに対応する可動装置、いわゆる専門語で「ポータ」がログを後方から押しやることによって長手方向運動で駆動するように取り付けられている複数のチャネルまたはガイドと；
−ログの回転軸と平行な軸の周りを回転し、対応する可動支持部材上に固定された一つまたはそれ以上の円形ブレードを備えた切断ステーションと；
−ログを上記切断ステーションに一時的に保持する手段と；
を備えている。
【０００５】
通常動作中、切断されるべきログは適切なポータによってそれぞれのガイド上のプリセット位置に配置され、その位置にブロックされる。次に、ブレードの一つが作動される。すなわち、ログの軸と直交する平面に駆動され、これによってログからプリセット・サイズのより短いロールが形成される。ロールの長さは、実際にはブレードによって操作された二つの連続する切断部材間で経過する時間中のポータの進行に依存する。
【０００６】
特に、現在ログを切断ステーションに一時的に保持する手段であって、一般的に「プレッサー」と呼ばれている手段は、対応する駆動部材に関連する複数のベルトを備えており、上記プレッサーの形態は切断ステップ中ログを保持し、これを移動させなければならないときはこれらを開放するために修正することができる。
【０００７】
しかし、従来のプレッサーは長期使用、特に操作の柔軟性に関する限りでは、信頼性の点とサービス需要の点の両者において現在の製造必要条件では不十分な結果になっている。
【特許文献１】米国特許第２００２／０７８８１１号
【特許文献２】イタリア特許第１２４７３３０号
【発明の開示】
【発明が解決しようとする課題】
【０００８】
本発明の主たる目的は、上記欠点を克服することである。
【課題を解決するための手段】
【０００９】
この結果は本発明に基づいて請求項１に開示した特徴を有する構造をなすアイデアを適用することによって達成される。さらなる特徴は従属請求項に開示される。
【００１０】
本発明は切断ステップ中、ログの有効かつ安全な保持を操作することを可能にし、保持手段の操作を指令するアクチュエータによって与えられた命令に応答して高い迅速性を保証することを可能にする。さらに、プレッサーの特定操作のために、装置は関連するログの直径に、このような直径の範囲であれば装置の部品または要素を交換する必要なしにいずれも自動的に一致させることができ、従って装置の最大多様性が保証される。付加的に、非常に小さい保守を要する本発明に基づく装置は製造が比較的簡単、費用的に有利であり、長くなった実用寿命後においても信頼性がある。
【００１１】
本発明の上記したおよび他の利点と特徴は、限定感覚で考察するのもではないが、本発明の特定する実施例として示された添付図面に関する次なる説明を読むことによって当業者によく理解できるであろう。
【発明を実施するための最良の形態】
【００１２】
切断ステーションに向かってログを移動させる装置に適用した本発明を添付図面の図を参照して次に説明する。この装置は、
−その内部に切断されるべきログが配備された一つまたはそれ以上の長尺チャネル（１０）を備えたプラットフォーム（１）と；
−上記プラットフォーム（１）に対応して作動するとともにログ（２）の背後に作用して、下流に配備された切断手段（４）に向かってそれぞれのガイド・チャネル（１０）に沿ってログを押しやるプッシャー手段（３）と；
−上記プッシャー手段（３）と上記切断手段（４）間の中間に配備され、プッシャー（３）によってプラットフォーム（１）のチャネル（１０）に沿って押しやられるログ（２）と係合するとともに上記切断手段（４）までこれらを駆動することを意図したクランプ手段（５）と；
を備えている。
【００１３】
上記プッシャー手段（３）は、プラットフォーム（１）のチャネル（１０）を横断して配備され、対応する電動機（３２）に関連するとともに（図１４のブロック図中だけに見られる）プラットフォーム（１）の二つの長縁上を摺動するように取り付けられたキャリッジ（３１）によって上記クランプ手段（５）に向かって、またこれから離れるように移動されるバー（３０）を備えている。
【００１４】
さらに、上記クランプ手段（５）が、互いに対向して配置された二つの電動機駆動閉ループ・ベルト（５０）を備え、プラットフォーム（１）上をログ（２）が平面に対して摺動して到来し、これによって各ベルトがこのような平面に平行な長さ（５１）を常に呈し、上記ベルト（５０）の互いに対面する長さ（５１）がログ（２）の外径と実質上等しい延長部で隔置されている。
【００１５】
添付図面を参照して、上記切断手段（４）が適切なアクチュエータ（４００）（図１４のブロック図中だけに見られる）に関連する支持アーム（４１）上に取り付けられ、これを切断されるべきログ（２）から移動させ、またこれに向けて移動させるブレード（４０）を備えている。
【００１６】
上述の装置の動作は次の通りである。ログ（２）が自動積込装置（当業者に公知であり、従ってここでは詳細な説明は省略する）によってプラットフォーム（１）のチャネル（１０）に配備され、プッシャー手段（３）がベルト（５０）の平行長さ（５１）間までベルト（５０）に向かってこれらを押しやる（図１および２）。従って、この点において、このように配置された各ログ（２）はそれぞれの駆動ローラ上を回転することによって同じベルト（５０）間に保持されることになり、図３に示したようにログを切断手段（４）に向けるとともに同じログをその直径方向に対向する表面部分上に係合する。ベルト（５０）、従ってログ（２）の動きは間欠的、かつ、切断手段（４）と同期している。すなわち、各ドゥエルにおいて、切断手段（４）が作動されると、ログ（２）が切断され、一方ベルト（５０）の移動中切断手段（４）が不作動となり、ログ（２）から離れる。ベルト（５０）の速度および作動時間は、ログ（２）の切断部から得られるペーパー・ロール（２０）の長さに関連して事前決定される。一度ログ（２）がベルト（５０）間に保持されると、キャリッジ（３１）が適切な初期位置に巻き取るために戻る。これによってさらなるログ（２）がプラットフォーム（１）のチャネル内に配備されたときに、図４に示したようにベルト（５０）に前回引き渡されたログ（２）の尾部と接触してその適切な頭部に配備されるまで、これらのログが同じプッシャー手段に抗して駆動される。このプロセスは、図５〜９にも示すように周期的に反復される。ログ（２）の切断手段への供給は、連続的、すなわち、連続するログ間にとぎれまたは空間なしに実行される。これはシステムの実際の製造に関して明白な利点である。ペーパー・ロール（２０）が製造されるにつれて、処理された同じログ（２）によって切断手段（４）の下流に配置され、これらを移動させるためにコンベヤベルト（３５）上に押しやられる。コンベヤベルト（３５）と切断手段（４）間に静止水平平面（３５０）を配備することもできる。
【００１７】
切断手段（４）に関して、切断ステップ中、すなわち、切断手段が作動しているときにログ（２）を一時的に保持することを意図した手段（６）を提供することが可能である。
【００１８】
添付図面の図に示された代表的な実施例に基づく上記保持手段（６）は、二つのプレート（６０ａ，６０ｂ）を備えており、各々一方側に複数の強固なほぼ半円形状のフック（以後、「プレッサー」と呼ぶ）を呈し、対向側に付加部材（６００）が水平面に対して所定角度で傾斜したガイド（７）内に摺動的に固定されている。上記プレート（６０ａ，６０ｂ）は制御下にあるアクチュエータに関連して、それぞれのガイド（７）の方向に実質的に直線運動でこれらを駆動する。また、同じプレートが鏡像的に、かつ、処理されるべきログ（２）に対して平行関係に、すなわち、直交して配置される。
【００１９】
上記プレート（６０ａ，６０ｂ）の付加部材（６００）が小形ローラ（６３）を備えており、それぞれのガイド（７）内でのその摺動を助けている。
【００２０】
好ましくは、上記ガイド（７）は水平面に対して６０〜６５°の角度で傾斜しており、適切であると思われる方法で各プレッサー（６１）の偏位の垂直および水平要素を組み合わせるために、また装置を処理下にあるログの直径に関わらず可能な限り最高に作動させ、これによって非常に多面的になる。
【００２０】
例えば、上記アクチュエータ（８）は二つのプレート（６０ａ，６０ｂ）を通ってピボット（８３）を作動するクランク連結ロッド式の伝動装置（８０，８１）を介して二つのプレート（６０ａ，６０ｂ）に連結された電動機である。すなわち、上記プレート（６０ａ，６０ｂ）は対応するレバー（１０８）を介して固定本体（１００）と係合され、各々その一方側が二つの固定本体（１００）の一つにヒンジされ、またその他方側が上記ピボット（８３）の上方で二つのプレート（６０ａ，６０ｂ）の一つにヒンジされている。レバー（１０８）をプレート（６０ａ，６０ｂ）に連結しているヒンジの軸はピボット（８３）と平行である。
【００２２】
切断手段（４）が非作動であり、かつ、ログ（２）から離れているとき、プレート（６０ａ，６０ｂ）は持ち上げられるので（図１２に実線で示すように）、ログ（２）は（上記ベルト５０によってそれに誘起された牽引力のために）前方向への平行移動が自由になる。ログ（２）の切断ステップの開始直前、すなわち、この結果が切断位置になったときに、プレート（６０ａ，６０ｂ）がフック（６１）の手段によって半円形状かつ鏡像的状態でログの表面を圧縮することで降下される（図１０と図１１および図１２の一点鎖線を参照）。ログを横方向と頂部において抱き込み、これによってこれらをプリセット位置に保持する。底部において、ログ（２）はその一部がそれぞれのベルト（５０）およびその一部が平面（３５０）上に載置される。プレート（６０ａ，６０ｂ）の昇降は上述したレバーのアレイを介してアクチュエータ（８）によってもたらされる。
【００２３】
プッシャー手段（３）、クランプ手段（５）、切断手段（４）およびアクチュエータ（８）の制御、さらに後者によって作動されるプレート（６０ａ，６０ｂ）の平行移動は全て対応するプログラム可能電子手段を介して自動化されており、光学的フォトセル作動制御手段（９０）も接続されている。後者は公知の、かつ、プリセット位置にログ（２）の作動経路に沿って配備されている。この種の電子手段は工業的自動制御分野における当業者にとって公知であり、従って詳細な説明は省略する。
【００２４】
ログ（２）を移動させるシステムは、いずれか適切なタイプのものでよいことが理解できる。
【００２５】
実際において、構造上の詳細部は、採用された解決策の範囲から逸脱することなく、したがって、本特許に与えられた保護の範囲内にある限り、その形状、寸法、要素配置、使用材料の特性に到るまで同等の方法で変えてもよい。
【図面の簡単な説明】
【００２６】
【図１】稼動周期の開始時段階を示す切断ステーションにログを供給する装置の概略側面図である。
【図２】クランプ手段によって係合され、切断操作にかけられた図１の装置を示す図である。
【図３】ログを摺動させるためにプラットフォームのそれぞれのチャネルに積み込まれた別のログの状態を示す図である。
【図４】二つのログを順次並べた図１の装置を示す図である。
【図５】第２ログの頭部がクランプ手段間に配置された状態にある図４の装置を示す図である。
【図６】図５の装置の平面図である。
【図７】図６に示した一方に続く二つの操作段階にある同じ装置を示す図である。
【図８】図６に示した一方に続く二つの操作段階にある同じ装置を示す他の図である。
【図９】プラットフォーム上に積み込まれた別のログによるさらなる段階にある同じ装置を同様に示す図である。
【図１０】それぞれの切断ステーションに位置し、異なる直径のログを一時的に保持するための手段によって保持された形態を示す概略正面図である。
【図１１】それぞれの切断ステーションに位置し、異なる直径のログを一時的に保持するための手段によって保持された形態を示す他の概略正面図である。
【図１２】図１０および１１に示した保持手段の概略分解側面図である。
【図１３】図１０および１１に示した保持手段の概略側面図である。
【図１４】自動装置および制御手段の簡略ブロック図である。
【符号の説明】
【００２７】
１  プラットフォーム
２  ログ
３  プッシャー手段
４  切断手段
５  クランプ手段
７  ガイド
８  アクチュエータ
１０  ガイド・チャネル
２０  パーパー・ロール
３０  バー
３１  キャリッジ
５０  閉ループ・ベルト
６０ａ，６０ｂ  プレート
６１  プレッサー
８０，８１  伝送装置
８３  ピボット
９０  フォトセル作動制御手段
１００  固定本体
１０８  レバー


【国際調査報告】
2006524140.tif 000017
2006524140.tif 000018